(57)【要約】【課題】本発明は、操作性を改善でき、誰でも使いやすい洗車機を提供することを目的とする。【解決手段】洗車機の操作ボックスの液晶表示パネル５９に操作画面が順に表示され、この液晶表示パネル５９に表示された画面に基づいて、液晶表示パネル５９上に配置されたタッチパネル６０が操作されることにより、洗車コースの情報を含む自動洗車に必要な情報が、画面にしたがって入力される構成とする。この構成によれば、洗車機の操作性を改善でき、誰でも使いやすい洗車機を提供することができる。【選択図】      図６
2004148882.tif 000002
【特許請求の範囲】
【請求項１】
実行可能な複数の洗車処理の中から一つの洗車処理を選択し、この選択された洗車処理に基づいて、被洗浄車両と洗車機本体を相対移動させながら前記被洗浄車両に対して洗車を行う洗車機であって、
前記洗車機本体による自動洗車に必要な情報を、操作入力する操作手段を設け、
この操作手段は、前記複数の洗車処理の中から一つの洗車処理を選択可能な画面が少なくとも表示される液晶表示パネルと、この液晶表示パネルの表面に配置されたタッチパネルから構成されること
を特徴とする洗車機。
【請求項２】
液晶表示パネルには、操作手順にしたがって必要な画面が表示され、各画面にはそのときの操作に必要な押釦の画像が表示されること
を特徴とする請求項１に記載の洗車機。
【請求項３】
押釦位置のタッチパネルの操作で、この押釦の画像全体あるいは一部の色が変化し操作が表現されること
を特徴とする請求項２に記載の洗車機。
【請求項４】
前記液晶表示パネルに、洗車処理の選択画面、被洗浄車両に装備されている装備品を入力する装備品入力画面、洗車開始を入力するスタート操作画面の順に表示されること
を特徴とする請求項２または請求項３に記載の洗車機。
【請求項５】
前記液晶表示パネルに、洗車機本体に設置されたセンサの入力状態とセンサの設置位置の少なくとも一方が表示されることを可能としたことを特徴とする請求項１に記載の洗車機。
【請求項６】
前記液晶表示パネルに、洗車機本体に異常が発生したとき、この異常の状態、原因、確認位置の少なくとも一つが表示されることを可能としたこと
を特徴とする請求項１に記載の洗車機。
【請求項７】
前記操作手段の表面を自動で覆う覆い手段を設け、
前記洗車機本体による洗車動作が開始されると一定時間後に、前記覆い手段は動作されて前記操作手段の表面が覆われること
を特徴とする請求項１に記載の洗車機。
【請求項８】
前記操作手段の近傍に被洗浄車両が位置していることを検出する車両検出手段を設け、
この車両検出手段により前記被洗浄車両が検出されると、前記覆い手段が動作されて前記操作手段の表面が開放されること
を特徴とする請求項７に記載の洗車機。
【発明の詳細な説明】
【０００１】
【発明の属する技術分野】
本発明は、たとえば給油所に設置される洗車機に関するものである。
【０００２】
【従来の技術】
従来のこの種の洗車機の操作部を構成する操作パネルは、押釦スイッチとディジタル表示器（セグメント表示器）等の組み合わせで構成されることが主流であり、このような操作パネルには、たとえば洗車機の自動洗車データを入力する押釦スイッチとして、洗車コース選択スイッチ、被洗浄車両の車種別に特殊な装備品が取付けてあることを入力する車種／装備品入力スイッチ、洗車コースおよび車種／装備品設定の確認スイッチ、洗車コースおよび車種／装備品設定の訂正スイッチなどが設けられ、またプリペイドカード点数またはコイン投入金額を表示するディジタル表示器が設けられる（例えば、特許文献１参照）。
【０００３】
また上記ディジタル表示器には、他に、洗車終了までの残り時間、洗車機に異常が発生したときにその異常内容を知らせるエラーコードなどが表示される。
上記操作パネルは、洗車を開始する前にサービスステーション（ガソリンスタンド）の作業員または被洗浄車両の運転者（ユーザー）に操作されて自動洗車データが入力され、これら自動洗車データに基づいて洗車が実行される。
【０００４】
【特許文献１】
特開平７−３１１８８０号公報（図１）
【０００５】
【発明が解決しようとする課題】
しかし、従来の操作パネルは、押釦スイッチの数が多く、またディジタル表示器はセグメント表示（記号表示）であるために、操作する作業者またはユーザーにとって非常にわかりずらかった。
【０００６】
またディジタル表示器にエラーコードが表示されても、異常内容を確認するためマニュアルを参照するなどに時間がかかり、異常発生時に迅速に対処することは難しかった。
【０００７】
また近年、セルフのサービスステーション（ガソリンスタンド）や洗車場が増加していく中で、洗車機の操作性が重要視されてきている。
そこで、本発明は、操作性を改善でき、誰でも使いやすい洗車機を提供することを目的としたものである。
【０００８】
【課題を解決するための手段】
前述した目的を達成するために、本発明のうち請求項１記載の発明は、実行可能な複数の洗車処理の中から一つの洗車処理を選択し、この選択された洗車処理に基づいて、被洗浄車両と洗車機本体を相対移動させながら前記被洗浄車両に対して洗車を行う洗車機であって、
前記洗車機本体による自動洗車に必要な情報を、操作入力する操作手段を設け、この操作手段は、前記複数の洗車処理の中から一つの洗車処理を選択可能な画面が少なくとも表示される液晶表示パネルと、この液晶表示パネルの表面に配置されたタッチパネルから構成されることを特徴とするものである。
【０００９】
上記構成によれば、液晶表示パネルに複数の洗車処理の中から一つの洗車処理を選択可能な画面が少なくとも表示され、この液晶表示パネルに表示された画面に基づいてタッチパネルが操作されることにより、洗車処理の情報を含む自動洗車に必要な情報が入力され、この情報に基づいて被洗浄車両と洗車機本体は相対移動され、被洗浄車両が洗車される。
【００１０】
また請求項２に記載の発明は、上記請求項１に記載の発明であって、液晶表示パネルには、操作手順にしたがって必要な画面が表示され、各画面にはそのときの操作に必要な押釦の画像が表示されることを特徴とするものである。
【００１１】
上記構成によれば、各画面にはそのときの操作に必要な押釦の画像が表示されることにより、操作がわかりやすくなり、操作で迷うことがなくなることから操作性が改善される。
【００１２】
また請求項３に記載の発明は、上記請求項２に記載の発明であって、押釦位置のタッチパネルの操作で、この押釦の画像全体あるいは一部の色が変化し操作が表現されることを特徴とするものである。
【００１３】
上記構成によれば、押釦位置の操作により押釦の画像全体あるいは一部の色が変化し操作が表現されることにより、押釦の操作が受け付けられたことを確認できる。
【００１４】
また請求項４に記載の発明は、上記請求項２または請求項３のいずれかに記載の発明であって、前記液晶表示パネルに、洗車処理の選択画面、被洗浄車両に装備されている装備品を入力する装備品入力画面、洗車開始を入力するスタート操作画面の順に表示されることを特徴とするものである。
【００１５】
上記構成によれば、順に表示される洗車処理の選択画面、被洗浄車両に装備されている装備品を入力する装備品入力画面、洗車開始を入力するスタート操作画面にしたがって操作することにより、必要な自動洗車のデータが入力され、洗車がスタートされる。
【００１６】
また請求項５に記載の発明は、上記請求項１に記載の発明であって、前記液晶表示パネルに、洗車機本体に設置されたセンサの入力状態とセンサの設置位置の少なくとも一方が表示されることを可能としたことを特徴とするものである。
【００１７】
上記構成によれば、センサの入力状態が表示されることにより、センサにより検出されている洗車機の状態を確認でき、またセンサの設置位置が表示されることにより、センサがどこに設置されているかをマニュアルを見ることなく確認できる。
【００１８】
また請求項６に記載の発明は、上記請求項１に記載の発明であって、前記液晶表示パネルに、洗車機本体に異常が発生したとき、この異常の状態、原因、確認位置の少なくとも一つが表示されることを可能としたことを特徴とするものである。
【００１９】
上記構成によれば、洗車機本体に異常が発生したとき、この異常の状態、原因、確認位置の少なくとも一つが表示されることにより、異常が発生しても異常の詳細な状況がわかりやすく表示され、異常の復旧に迅速に対処することができる。
【００２０】
また請求項７に記載の発明は、上記請求項１に記載の発明であって、前記操作手段の表面を自動で覆う覆い手段を設け、前記洗車機本体による洗車動作が開始されると一定時間後に、前記覆い手段は動作されて前記操作手段の表面が覆われることを特徴とするものである。
【００２１】
上記構成によれば、洗車動作が開始されると一定時間後に、覆い手段は動作されて操作手段の表面が覆われることにより、洗車動作により発生する水しぶきにより操作手段が濡れて異常が発生することが防止される。
【００２２】
また請求項８に記載の発明は、上記請求項７に記載の発明であって、前記操作手段の近傍に被洗浄車両が位置していることを検出する車両検出手段を設け、この車両検出手段により前記被洗浄車両が検出されると、前記覆い手段が動作されて前記操作手段の表面が開放されることを特徴とするものである。
【００２３】
上記構成によれば、車両検出手段により操作手段近傍に被洗浄車両が検出されると、覆い手段が外れて操作手段の表面が開放されることにより、自動洗車に必要なデータの入力が可能となる。
【００２４】
【発明の実施の形態】
以下、本発明の実施の形態を図面に基づいて説明する。
図１は本実施の形態における洗車機の側面図、図２は同洗車機の正面図、図３と図４は同洗車機内の機器の配置図である。図示する洗車機は、ドライブスルータイプの洗車機（前方から洗車機本体内へ進入した被洗浄車両を洗車終了後に後方へ通り抜け退場させる方式のセルフ洗車機）としている。
【００２５】
図１〜図４において、１は被洗浄車両である車両２を跨ぎ、車両２の前後方向に走行する門型の洗車機本体であり、洗車機本体１は、車両２の洗浄を行う洗浄手段を備えた前部本体１Ａと、車両２の乾燥を行う乾燥手段を備えた後部本体１Ｂに分離され、前部本体１Ａと後部本体１Ｂはそれぞれ複数個の輪体３を介して床面４に敷設された一対のレール５の上をそれぞれ別個に走行可能とされ、実行可能な複数の洗車コース（洗車処理の一例）の中から選択された一つの洗車コースに基づいて、車両２を跨いで相対移動しながら車両２に対して洗車を行うように構成されている。また前部本体１Ａと後部本体１Ｂは、ワイヤ（索体）６により接近・離間自在に接続されている。また前部本体１Ａの後端の両側には、後述するアーチを取り付けるためのパネル９が突設され、また前部本体１Ａの正面上部に、車両２の車高および車両２の存在を検出する超音波センサからなる車高・車両検出センサ１０が設けられている。
【００２６】
上記パネル９を含む前部本体１Ａ内には、上記車両２の洗浄手段として、前面より順に、前端部上方に配置され、高圧水を車両２の上方から車両２へ噴射する高圧水スプレーノズル１１と、洗浄水（リンス）を車両２の上面と両側面へ噴射する第１洗浄水（プレリンス）アーチ１２と、洗車機本体１の走行方向と直角な左右方向に出退自在で車両２のタイヤおよび下部側面を洗浄する左右一対のロッカーブラシ１３と、上下方向に移動自在で被洗浄車両２の上面を洗浄するトップブラシ１４と、通常の洗剤を車両２の上面へ噴射する第１洗剤（前洗剤）アーチ１５と、洗浄水（リンス）を車両２の上面と両側面へ噴射する第２洗浄水（ファイナルリンス）アーチ１６と、ワックス液（下地ワックス）を車両２の上面と両側面へ噴霧する第１ワックスアーチ１７と、前記左右方向に横行自在で車両２の前後面および両側面を洗浄する一対のサイドブラシ１８と、後部車体１Ｂの近くに配置され、高発泡洗剤を車両２の上面へ噴霧する高発泡洗剤アーチ１９と、撥水コート液を車両２の上面と両側面へ噴霧する撥水コートアーチ２０と、通常の洗剤を車両２の上面と両側面へ噴射する第２洗剤（後洗剤）アーチ２１と、ワックス液（仕上げワックス）を車両２の上面と両側面へ噴霧する第２ワックスアーチ２２が設けられている。上記ロッカーブラシ１３とトップブラシ１４とサイドブラシ１８によりブラッシング手段が構成され、高圧水スプレーノズル１１と第１洗浄水アーチ１２と第１洗剤アーチ１５と第２洗浄水アーチ１６と第１ワックスアーチ１７と高発泡洗剤アーチ１９と撥水コートアーチ２０と第２洗剤アーチ２１と第２ワックスアーチ２２によりスプレー装置が構成されている。
【００２７】
また前部本体１Ａの前端部に、前方に突出させて、操作パネルなどが配列された操作ボックス２３が設けられ、さらに車両２の運転者に車両２の進入および停止を報知する手段として、緑色ランプからなる進入信号灯２４と赤色ランプからなる停止信号灯２５が設けられている。また前部本体１Ａ内で前方下部には、前部本体１Ａへ進入した車両２を検出する光電センサからなる前部本体車両検出センサ（車両検出手段の一例）２６が設けられ、また前部本体１Ａの下端には、前部本体１がホームポジション（走行開始位置）にあることを検出するリミットスイッチからなる前部本体ＨＰ検出センサ２７と前部本体１Ａがエンドポジション（走行終了位置）にあることを検出するリミットスイッチからなる前部本体ＥＰ検出センサ２８が設けられている。またサイドブラシ１８には、サイドブラシ１８が車両２に接触して傾いたことにより動作して車両２を検出するリミットスイッチからなる車体検出センサ２９（図９）が設けられている。また図４に示すように、前部本体１Ａと後部本体１Ｂ間に、給電およびデータの授受に使用される配線を支持するアーム３０が設けられている。
【００２８】
また後部本体１Ｂ内には、車両２の乾燥手段として、上下方向に移動自在で被洗浄車両２の上面を乾燥するトップノズル３１と、前記左右方向に横行自在で車両２の両側面を乾燥する左右一対のサイドノズル３２が設けられ、さらに両ノズル３１，３２に同時に連通して風を供給する左右一対のブロワ装置３３が設けられている。また後部本体１Ｂの下端には、後部本体１Ｂがホームポジション（走行開始位置）にあることを検出するリミットスイッチからなる後部本体ＨＰ検出センサ３４と後部本体１Ｂがエンドポジション（走行終了位置）にあることを検出するリミットスイッチからなる後部本体ＥＰ検出センサ３５が設けられ、さらに後部本体１Ｂの後端には、車両２の後端を検出する光電センサからなる後端検出センサ３６が設けられている。
【００２９】
また図４に示すように、前部本体１Ａと後部本体１Ｂとの閉限（接近）・開限（離間）を検出する検出手段として、後部本体１Ｂの前端から前部本体１Ａに向けて一対の被検出体３７Ａが突出され、前部本体１Ａにこれら一対の被検出体３７Ａを支持案内する案内レール３７Ｂが設けられ、前部本体１Ａの前端に一方の被検出体３７Ａの先端の進入により動作するリミットスイッチからなる減速用の閉限減速検出センサ３８と停止用の閉限停止検出センサ３９が設けられ、また前部本体１Ａの後端に他方の被検出体３７Ａの先端の後退により動作するリミットスイッチからなる減速用の開限減速検出センサ４９と停止用の開限停止検出センサ５０が設けられている。
【００３０】
また前部本体１Ａと後部本体１Ｂ間における物や人の存在を検出する挟まれ検出手段として、複数のセット（図３では２セット）の透過型光電センサ（透過型光電検出手段の一例）からなる挟まれ検出センサ４０（投光器４０Ａ，受光器４０Ｂ）が設けられている。この挟まれ検出センサ４０の投光器４０Ａは後部本体１Ｂに，挟まれ検出センサ４０の受光器４０Ｂは前部本体１Ａに設けられている。
【００３１】
また図１に示すように、走行レール５の先端前方に、車両２の洗車位置への進入をコントロールする遮断機４１と、車両２の存在を検出するとともに車両２の車高が洗車機本体１の制限高さ以下であるかどうかを検出する進入センサ４２が設けられ、また走行レール５の後端後方には車両２の運転者へ洗車終了による退場（洗車位置からの脱出）を促す出口信号灯４３が設けられている。
【００３２】
また前部本体１Ａには、前部本体１Ａの輪体３の回転軸に連結され、輪体３を駆動することにより前部本体１Ａを走行させる前部本体走行駆動装置（走行モータを含む）４５（図９）と、輪体３の回転を検出する前部本体エンコーダ４６（図９）が設けられ、また同様に後部本体１Ｂには、後部本体１Ｂの輪体３の回転軸に連結され、輪体３を駆動することにより後部本体１Ｂを走行させる後部本体走行駆動装置（走行モータを含む）４７（図９）と、輪体３の回転を検出する後部本体エンコーダ４８（図９）が設けられている。上記前部本体走行駆動装置４５と後部本体走行駆動装置４７は、それぞれ走行モータとこの走行モータ用インバータから構成され、インバータは後述する前進指令、後進指令に応じて走行モータを駆動して本体１Ａ，１Ｂを所定速度で前進または後進させ、後述する減速指令に応じて走行速度を減速させる。なお、インバータは前進指令と後進指令をともに入力していないときは走行を停止させる。
【００３３】
上記操作ボックス２３には、図５に示すように、雨よけカバー５１が天井部から正面（車両２に対向する面）に向けて取り付けられ、正面上部には、洗車料金の払い込み装置として、プリペイドカード・リーダライタ５２、紙幣投入機５３、コイン投入機５４、返却レバー５５が設けられ、また下方部に釣銭の返却口５６が設けられている。
【００３４】
また正面中央部左側に、洗車機本体１による自動洗車に必要な情報を操作入力する操作手段として操作パネル５８が設けられている。この操作パネル５８は、複数の洗車コースの中から一つの洗車コースを選択可能な画面が少なくとも表示される液晶表示パネル５９（図９）とこの液晶表示パネル５９の表面に設置されたタッチパネル６０（図９）から構成され、またこの操作パネル５８の表面を自動で閉じ、また開放するスライドカバー（覆い手段の一例）６２が設けられている。
【００３５】
また操作ボックス２３の前方側面に正面に向けて操作ボックス２３がに手が届かないときに操作し、前部本体１Ａを前方へ移動させる押釦スイッチからなる前方移動ボタン６４が設けられ、また操作ボックス２３の後方側面に正面に向けて操作ボックス２３がに手が届かないときに操作し、前部本体１Ａを後方へ移動させる押釦スイッチからなる後方移動ボタン６５が設けられ、さらに操作ボックス２３の下端には、操作パネル５８の近傍に車両２が位置していることを検出する反射型光電スイッチからなる車両前進検出センサ（車両検出手段の一例）６６が設けられている。また操作ボックス２３の前方側面には異常発生時の報知手段としてブザー６７が設けられている。
【００３６】
上記液晶表示パネル５９に表示される画面について説明する。
［操作画面］
上記液晶表示パネル５９に順に表示される操作画面を図６に示す。
【００３７】
液晶表示パネル５９には、待機中は図６（ａ）に示すように、「いらっしゃいませ、画面に触れて操作してください」と表示され、指で接触する画像が表示された待受画面が表示されており、画面に触れると（タッチパネル６０に触れると）、図６（ｂ）に示す洗車コース選択画面（洗車処理の選択画面の一例）が表示される。なお、前記待受画面に、キャンペーンや宣伝（ＰＲ）の画像を表示させることもでき、販売促進に寄与させることもできる。
【００３８】
この洗車コース選択画面を含めて以後続けて表示される画面の上部には、操作段階の画面ａが表示される。すなわち操作段階として、「カード・料金を入れる、コースを選ぶ」、「装備品を選ぶ」、「スタート確認」、「洗車スタート」と表示され、操作段階に応じて背面の色が変化することで操作段階が表示される。
【００３９】
図６（ｂ）に示すように、洗車コース選択画面として、段階の画面ａの下方位置に、支払い画面ｂが表示される。すなわち、プリペイドカード・リーダライタ５２へ投入されたプリペイドカードの残高、または紙幣投入機５３へ投入された紙幣の金額、またはコイン投入機５４へ投入されたコインの金額を表示する投入金額の画像と、プリペイドカードを追加するときに操作するボタンの画像と、プリペイドカードを返却するときに操作するボタンの画像、紙幣投入機５３において１０００円札が使用不可であることを示す画像、コイン投入機５４において５００円硬貨が使用不可であることを示す画像が表示される。そして、この支払い画面ｂの下方位置に、洗車コースを選択する選択画面ｃが表示される。すなわち複数（図では６つ）の洗車コースの画像が表示され、一つの洗車コースを選択するようになっており、各洗車コースの画像は、洗車コースの名称と金額および選択されたときに点灯するランプの画像から構成されている。洗車コースが選択され、投入金額が洗車コースの金額となると、図６（ｃ）に示す、車両２に装備されている装備品を入力する装備品選択画面が表示される。
【００４０】
図６（ｃ）に示すように装備品選択画面には、操作段階の画面ａと、洗車コース選択画面により選択された洗車コースおよび選択しなおすために前の洗車コース選択画面に戻すため操作ボタンからなる画面ｄが表示され、その下方位置に、車両２に装備されている装備品を入力する入力画面ｅが表示されている。この入力画面ｅは、車両の画像と複数（図では４つ）の装備品の画像からなり、各装備品の画像は、装備品の名称と選択されたときに点灯するランプの画像から構成されている。さらにこの入力画面ｅの下方位置に、領収書発行を求めるランプ付き操作ボタンの画像と決定を入力する操作ボタンの画像からなる画面ｆが表示されている。この画面ｆの決定を入力する操作ボタンが操作されると、図６（ｄ）に示す、洗車開始を入力する確認画面（スタート操作画面の一例）が表示される。
【００４１】
図６（ｄ）に示すように確認画面には、操作段階の画面ａと、「カード・つり銭の取り忘れはありませんか？なければ、スタートボタンを押してください。」が表示されたメッセージ画面ｇと、洗車スタートを入力するスタート操作ボタンの画像からなる画面ｈが表示されている。画面ｈのスタート操作ボタンが操作されると、図６（ｅ）に示す操作完了画面が表示される。
【００４２】
図６（ｅ）に示すように操作完了画面には、操作段階の画面ａと、「操作が完了しました。まもなく洗車が始まります。窓を閉め終わってから、エンジンを止めてください。」が表示されたメッセージ画面ｉが表示される。
［センサ入力確認画面］
上記液晶表示パネル５９に表示される、洗車機本体１に設置されたセンサの入力状態とセンサの設置位置を表示するセンサ入力確認画面を図７に示す。
【００４３】
たとえば図６（ａ）に示す待受画面に設けられている隠し操作ボタン位置を操作すると、あるいは操作ボックス２７の裏面に「切位置−運転位置−点検位置」の３つの切換位置を有するキースイッチからなる切換スイッチを設けてこの切換スイッチを点検位置に操作すると、図７（ａ）に示す入力確認画面が表示される。この入力確認画面には、センサを特定するデバイスナンバー（ＤＩのナンバー）毎に、時間を遡って過去の入力履歴のデータが表示され（動作しているときは斜線で示されている）、また次のセンサ配置図の表示を選択する操作ボタンの画像と、元の待受画面に戻る操作ボタンの画像が表示されている。
【００４４】
前記センサ配置図の操作ボタンが操作されると、図７（ｂ）に示すセンサ配置画面が表示される。このセンサ配置画面には、３次元で洗車機本体１のどの位置にセンサが取り付けられているかを示す画面が表示され、また元の入力確認画面に戻る操作ボタンが表示されている。
［異常発生画面］
上記液晶表示パネル５９に表示される、洗車機本体１に異常が発生したとき、この異常の状態、原因、確認位置を表示する異常発生画面を図８に示す。
【００４５】
洗車機本体１に異常が発生すると、図８（ａ）に示す異常通報画面が表示される。異常通報画面には、異常発生のメッセージと、異常内容と実行している洗車コースのデータからなる画面ｊと、この画面ｊの下方位置に設けられた操作画面ｋが表示され、操作画面ｋには、発生した異常の詳細を求める「詳細」操作ボタンの画像と、発生した異常の原因を求める「原因」操作ボタンの画像と、発生した異常の確認場所を求める「確認場所表示」操作ボタンの画像と、異常発生時に鳴動するブザー６７を停止するブザー停止操作ボタンの画像と、異常発生解除を入力する異常解除ボタンの画像が表示される。
【００４６】
前記「詳細」操作ボタンが操作されると、図８（ｂ）に示す異常詳細画面が表示される。異常詳細画面には、上記異常内容、洗車コースに加えて、どの位置での異常か、実行していた洗車動作のデータ（どのステップか）、前部本体１Ａと後部本体１Ｂの走行位置のデータ（走行パルスのデータ）が表示され、元の入力確認画面に戻る操作ボタンの画像が表示される。
【００４７】
また「原因」操作ボタンが操作されると、図８（ｃ）に示す異常原因画面が表示される。異常原因画面には、上記具体的な異常内容とこの異常内容に対処するチェック項目が表示され、元の異常通報画面に戻る操作ボタンの画像と、発生した異常の確認場所を求める「確認場所表示」操作ボタンの画像が表示される。
【００４８】
また「確認場所表示」操作ボタンが操作されると、図８（ｄ）に示す確認場所表示画面が表示される。確認場所表示画面には、３Ｄで確認位置の図面が表示され、元の異常通報画面に戻る操作ボタンの画像が表示される。
【００４９】
上記構成の洗車機の制御構成図を図９に示す。
前部本体１Ａに内蔵されたマイクロコンピュータからなる制御装置７１が設けられ、この制御装置７１に、操作ボックス２３の機器と上記各センサからなるセンサ系７２と各駆動装置からなる駆動系７３が接続されている。
【００５０】
前記センサ系７２は、車高・車両検出センサ１０、前部本体車両検出センサ２６、前部本体ＨＰセンサ２７、前部本体ＥＰセンサ２８、車体検出センサ２９、後部本体ＨＰセンサ３４、後部本体ＥＰセンサ３５、後端検出センサ３６、減速検出センサ３８、接近検出センサ３９、挟まれ検出センサ４０、進入センサ４２、前部本体エンコーダ４６、および後部本体エンコーダ４８からなり、また前記駆動系７３は、進入信号灯２４、停止信号灯２５、遮断機４１、出口信号灯４３、前部本体走行駆動装置４５、後部本体走行駆動装置４７、ロッカーブラシ１３、トップブラシ１４、サイドブラシ１８、前記スプレー装置、トップノズル３１、サイドノズル３２、およびブロワ装置３３からなる。
【００５１】
制御装置７１は、図９に示すように、
上記センサ系７２の各センサの検出信号および後述する洗車前制御部８６から入力される洗車コース、洗車機前進指令信号、洗車機後進指令信号に応じて上記駆動系、たとえばロッカーブラシ１３、トップブラシ１４、サイドブラシ１８を駆動して通常の洗車動作を実行し、また異常の発生を検知して、上記図８に示す異常発生画面の制御を行い、上記操作ボックス２３のブザー６７の鳴動を行うなどの機能を有する洗車シーケンス部８１と、
タッチパネル６０に接続され、タッチされたタッチパネル６０の座標（操作された位置）を検出する操作確認部８２と、
液晶表示パネル５９に接続され、液晶表示パネル５９の画面を形成する画像信号を出力する画像表示制御部８３と、
液晶表示パネル５９に表示される画面のデータ、すなわち図６（ａ）に示す待受画面、図６（ｂ）に示す洗車コース選択画面、図６（ｃ）に示す装備品選択画面、図６（ｄ）に示す確認画面、図６（ｅ）に示す操作完了画面、図７（ａ）に示す入力確認画面、図７（ｂ）に示すセンサ配置画面、図８（ａ）に示す異常通報画面、図８（ｂ）に示す異常詳細画面、図８（ｃ）に示す異常原因画面、図８（ｄ）に示す確認場所表示画面のデータが予め格納された画面記憶部８４と、
プリペイドカード・リーダライタ５２、紙幣投入機５３、およびコイン投入機５４に接続され、これら機器により投入された金額を表示し、後述する洗車コースに応じて料金の支払いを確認し、釣銭の返却などを実行する料金確認部８５と、
洗車シーケンス部８１と操作確認部８２と画像表示制御部８３と料金確認部８５に接続され、上記センサ系７２の各センサの検出信号と、車両前進検出センサ６６の検出信号と、前方移動ボタン６４の操作信号と、後方移動ボタン６５の操作信号が入力され、スライドカバー６２の開閉を実行する洗車前制御部８６と、発生する異常の内容データと異常内容に対処するチェック項目のデータと異常の確認場所の画像データが予め記憶されたメンテナンスデータ記憶部８７と
から構成されている。
【００５２】
前記洗車前制御部８６の動作を、操作ボックス２３の操作および操作ボックス２３の機器の動作とともに図１０および図１１のフローチャートにしたがって説明する。なお、スライドカバー６２は閉となっているものとする。また洗車前制御部８６は、前方移動ボタン６４の操作信号を入力すると入力している間、洗車シーケンス部８１へ洗車機前進指令信号を出力し、後方移動ボタン６５の操作信号を入力すると入力している間、洗車シーケンス部８１へ洗車機後進指令信号を出力する。
【００５３】
まず、車両２が乗り入れられ、車両前進検出センサ６６の車両検出信号および前部本体車両検出センサ２６の車両検出信号をともに入力すると（ステップ−１）、スライドカバー６２へ開指令を出力してスライドカバーを開け（ステップ−２）、画像表示制御部８３へ図６（ａ）に示す待受画面の表示指令を出力し、待受画面を表示させる（ステップ−３）。これにより、画像表示制御部８３により画面記憶部８４に記憶されているデータに基づいて待受画面が表示される。
【００５４】
そして、車両２の運転者によりタッチパネル６０が操作されて、操作確認部８２よりタッチパネル６０のタッチ信号（タッチされた座標のデータ）を入力しているかどうかを確認する（ステップ−４）。
【００５５】
このタッチ信号により画面中央部のタッチ信号を確認すると（ステップ−５）、画像表示制御部８３へ図６（ｂ）に示す洗車コース選択画面を出力し、洗車コース選択画面を表示させる（ステップ−６）。これにより、画像表示制御部８３により洗車コース選択画面が表示される。
【００５６】
車両２の運転者は、選択する洗車コースの画像に表示されている洗車料金（洗車コース選択画面に表示されている）に基づいて、プリペイドカード・リーダライタ５２へプリペイドカードを投入し、または紙幣投入機５３へ紙幣を投入し、またはコイン投入機５４へコインを投入する。これら投入により操作確認部８２より投入された金額が表示される。
【００５７】
続いて車両２の運転者によりタッチパネル６０が操作され、操作確認部８２より入力したタッチパネル６０のタッチ信号により洗車コースの画像のタッチ信号を確認すると（ステップ−７）、このタッチ信号に基づいて洗車コースを確定し（ステップ−８）、確定された洗車コースの画像のランプ部を点灯する指令を画像表示制御部８３へ出力し（ステップ−９）、料金確認部８５へ確定された洗車コースの料金を出力する（ステップ−１０）。これにより、画像表示制御部８３により洗車コース選択画面上の確定された洗車コースのランプの画像が点灯される。
【００５８】
そして、料金確認部８５において、プリペイドカード・リーダライタ５２へ投入され読み取られたプリペイドカードの残金、または紙幣投入機５３に投入された料金、またはコイン投入機５４に投入された料金により洗車コースの料金の支払いが確認され、プリペイドカード・リーダライタ５２への残金の書込みが指令され、コイン投入機５４へのお釣の支払い指令が出力されて、支払い終了信号を入力すると（ステップ−１１）、画像表示制御部８３へ図６（ｃ）に示す装備品選択画面の表示指令信号を出力する（ステップ−１２）。
【００５９】
なお、操作確認部８２より入力したタッチパネル６０のタッチ信号により「プリペイドカードを追加するときに操作するボタン」の画像の操作を確認すると、プリペイドカードの追加信号を料金確認部８５へ出力し、料金確認部８５はプリペイドカードの残金を確保してプリペイドカード・リーダライタ５２へ残金を０とする書込みを指令し、また「プリペイドカードを返却するときに操作するボタン」の画像の操作を確認すると、プリペイドカードの返却信号を料金確認部８５へ出力し、料金確認部８５はプリペイドカード・リーダライタ５２へプリペイドカードの返却指令を出力する。
【００６０】
また料金確認部８５より、紙幣投入機５３で１０００円札が使用不可である信号を入力すると、画像表示制御部８３へ１０００円札が使用不可であることを示す画面の表示を指令し、また料金確認部８５より、コイン投入機５４で５００円硬貨が使用不可である信号を入力すると、画像表示制御部８３へ５００円硬貨が使用不可であることを示す画面の表示を指令する。画像表示制御部８３により、１０００円札が使用不可であることを示す画面、５００円硬貨が使用不可であることを示す画面が表示される。
【００６１】
上記装備品選択画面の表示指令信号に応答して、画像表示制御部８３により装備品選択画面が表示され、車両２の運転者によりタッチパネル６０が操作され、操作確認部８２より入力したタッチパネル６０のタッチ信号により装備品の画像のタッチ信号を確認すると（ステップ−１３）、このタッチ信号に基づいて装備品の取り付けを確認し（ステップ−１４）、確認された装備品の画像のランプ部を点灯する指令を画像表示制御部８３へ出力する（ステップ−１５）。これにより、画像表示制御部８３により装備品選択画面上の選択された装備品のランプの画像が点灯される。
【００６２】
続いて車両２の運転者によりタッチパネル６０が操作され、操作確認部８２より入力したタッチパネル６０のタッチ信号により「決定を入力する操作ボタン」の画像部のタッチ信号を確認すると（ステップ−１６）、このタッチ信号により装備品を確定し（ステップ−１７）、画像表示制御部８３へ図６（ｄ）に示すように確認画面の表示指令信号を出力する（ステップ−１８）。
【００６３】
なお、操作確認部８２より入力したタッチパネル６０のタッチ信号により領収書発行を求める操作ボタンの画像のタッチ信号を確認すると、選択された洗車コースの金額データを含む領収書発行信号を、領収書を発行可能な装置、たとえばサービスステーションのコンピュータへ出力する。
【００６４】
上記確認画面の表示指令信号に応答して画像表示制御部８３により確認画面が表示され、車両２の運転者によりタッチパネル６０が操作され、操作確認部８２より入力したタッチパネル６０のタッチ信号によりスタート操作ボタンの画像のタッチ信号を確認すると（ステップ−１９）、このタッチ信号によりタイマーをスタートし（ステップ−２０）、上記確定した洗車コースと装備品からなる洗車機コース信号を洗車シーケンス制御部８１へ出力し（ステップ−２１）、画像表示制御部８３へ図６（ｅ）に示す操作完了画面の表示指令信号を出力する（ステップ−２２）。これにより画像表示制御部８３により操作完了画面が表示される。
【００６５】
そして、前記タイマーにより予め設定された時間がカウントされると、すなわち洗車機本体１による洗車動作が開始されると一定時間後に（ステップ−２３）、スライドカバー６２へ閉指令を出力してスライドカバーを閉じ（ステップ−２４）、画像表示制御部８３へ画面表示終了信号を出力し（ステップ−２５）、終了する。画像表示制御部８３は画面表示終了信号に基づいて画面を消去する。
【００６６】
上記ステップ−４において、画面中央部ではなく、タッチパネル６０の隠しエリアのタッチ信号（タッチパネルの座標）を確認すると、画像表示制御部８３へ図７（ａ）に示す入力確認画面の表示信号を出力し（ステップ−２６）、続いて画像表示制御部８３へ上記センサ系７２の各センサの検出信号および車両前進検出センサ６６の検出信号のデータを出力して入力確認画面を表示させる（ステップ−２７）。
【００６７】
これにより、画像表示制御部８３により入力確認画面が表示され、運転者によりタッチパネル６０が操作され、操作確認部８２より入力したタッチパネル６０のタッチ信号により「次のセンサ配置図の表示を選択する操作ボタン」の画像のタッチ信号を確認すると（ステップ−２８）、画像表示制御部８３へ図７（ｂ）に示すセンサ配置画面の表示信号を出力する（ステップ−２９）。
【００６８】
ステップ−２８において、「次のセンサ配置図の表示を選択する操作ボタン」の画像のタッチ信号を入力してなく、操作確認部８２より入力したタッチパネル６０のタッチ信号により「元の待受画面に戻る操作ボタン」の画像のタッチ信号を確認すると（ステップ−３０）、ステップ−３へ戻って画像表示制御部８３へ図６（ａ）に示す待受画面の表示指令を出力し、待受画面を表示させる。
【００６９】
上記センサ配置画面の表示信号に応答して、画像表示制御部８３によりセンサ配置画面が表示され、運転者によりタッチパネル６０が操作され、操作確認部８２より入力したタッチパネル６０のタッチ信号により「元の待受画面に戻る操作ボタン」の画像のタッチ信号を確認すると（ステップ−３１）、ステップ−２６へ戻って、画像表示制御部８３へ図７（ａ）に示す入力確認画面の表示信号を出力し、元の入力確認画面を表示される。
【００７０】
このように、操作の手順にしたがって、順に画面が展開されて、そのときに操作するだけの操作ボタンの画像が表示され、運転者の操作に応じて次の画面が表示される。またセンサ入力確認画面が任意に表示される。
【００７１】
次に上記制御装置７１の洗車シーケンス制御部８１による前部本体１Ａと後部本体１Ｂとブラシ１３，１４，１８と乾燥用ノズル３１，３２の動作の一例を、図１２，図１３のフローチャートおよび図１４，図１５に示す動作説明図に基づいて説明する。なお、前部本体１Ａと後部本体１ＢはホームポジションＨＰに停止し、操作ボックス２３を使用して洗車に必要な洗車モードが設定され、図１４（ａ）に示すように、開放された遮断機４１を通って車両２が進入してきているものとする（このとき、進入信号灯２４は点灯している）。また一対のサイドブラシ１８は閉じた状態になっているものとする。また選択される洗車コースおよびブラシ１３，１４，１８の駆動に合わせて駆動されるスプレー装置の説明は省略している。また前部本体ＨＰセンサ２７の検出信号によりリセットされ前部本体エンコーダ４６のパルス信号をカウントすることにより前部本体１Ａのホームポジション（ＨＰ）からの走行距離ＨＡを検出し、また後部本体ＨＰセンサ３４の検出信号によりリセットされ後部本体エンコーダ４８のパルス信号をカウントすることにより後部本体１Ｂのホームポジション（ＨＰ）からの走行距離ＨＢを検出し、また前部本体１Ａと後部本体１Ｂとの間の距離が予め設定された一定距離Ｌ以上となったかどうかを検出しているものとする。また洗車シーケンス制御部８１は、洗車前制御部８６より前記洗車機前進指令信号を入力している間、前部本体１Ａの走行駆動装置４５へ前進指令を出力して前部本体１Ａを前進させ、また前記洗車機後進指令信号を入力している間、前部本体１Ａの走行駆動装置４５へ後進指令を出力して前部本体１Ａを後進させる。
【００７２】
まず、車高・車両検出センサ１０により車両２が洗車位置まで進入してきたことを確認すると（ステップ−１）、停止信号灯２５を点灯し、進入信号灯２４を消灯して車両２の停止を報知する（ステップ−２）。続いて操作ボックス２３により洗車に必要な洗車モードが設定され、前記洗車モード信号を確認すると（ステップ−３）、遮断機４１へ閉指令を出力し（ステップ−４）、次にブラシ１３，１４，１８の回転指令信号を出力し（ステップ−５）、続いてロッカーブラシ１１による洗車指令信号を出力し（ステップ−６）、前部本体１Ａの走行駆動装置４５へ前進指令を出力する（ステップ−７）。
【００７３】
これにより停止信号灯２５の点灯により車両２が停止位置へ停止され、前記回転指令信号に応答してブラシ１３，１４，１８が回転駆動され、図１４（ｂ）に示すように、遮断機４１が閉じられて次の車両２の進入が阻止され、前部本体１Ａの前進が開始され、ロッカーブラシ１１による車両２のタイヤと側面下部の洗浄が実行される。
【００７４】
さらに前部本体１Ａが、設定離間距離｛一定距離；前部本体１Ａと後部本体１Ｂ間の最大離間距離を設定している｝Ｌ移動すると（ステップ−８）、後部本体１Ｂの走行駆動装置４７へ前進指令を出力する（ステップ−９）。これにより前部本体１Ａと後部本体１Ｂ間に最大の離間距離Ｌが設けられた状態で、後部本体１Ｂがともに前進を開始する。
【００７５】
続いて図１４（ｃ）に示すように、サイドブラシ１８が車両２の前面に接触して傾いたことにより動作する車体検出センサ２９の検出信号を入力すると（ステップ−１０）、前進指令をオフとし、すなわち前部本体１Ａと後部本体１Ｂの停止指令を出力し（ステップ−１１）、続いて前部本体１Ａの走行駆動装置４５へ後進指令を出力し（ステップ−１２）、車体検出センサ２９の信号がオフとなると（ステップ−１３）、前部本体１Ａの走行駆動装置４５へ後進指令をオフとし、すなわち前部本体１Ａの停止指令を出力し（ステップ−１４）、サイドブラシ１８の開指令を出力する（ステップ−１５）。
【００７６】
これにより前部本体１Ａと後部本体１Ｂは前進した後、車体検出センサ２９の信号により停止し、続いて前部本体１Ａが後進し、図１４（ｄ）に示すようにサイドブラシ１８が接触した状態となったときに停止し、サイドブラシ１８により車両２の前面が洗浄される。
【００７７】
続いてトップブラシ１４が車両２の先端に位置するように、前部本体１Ａの走行駆動装置４５へ後進指令を出力し（ステップ−１６）、トップブラシ１４の下降指令を出力する（ステップ−１７）。
【００７８】
これにより、前部本体１Ａが後進し、トップブラシ１４が車両２に向けて下降する。
そして前部本体１Ａの走行距離ＨＡにより車両２の先端位置にトップブラシ１４が位置したことを確認すると（ステップ−１８）、前部本体１Ａの走行駆動装置４５へ停止指令を出力する（ステップ−１９）。
【００７９】
これにより図１４（ｅ）に示すように、前部本体１Ａが、トップブラシ１４が車両２の先端に位置した状態で停止する。このときサイドブラシ１８は開状態にあり、前部本体１Ａと後部本体１Ｂとの距離は前部本体１Ａが後進した距離だけ縮まっている。
【００８０】
続いて、トップブラシ１４とサイドブラシ１８へ洗車指令信号を出力し（ステップ−２０）、前部本体１Ａの走行駆動装置４５へ前進指令を出力する（ステップ−２１）。
【００８１】
これにより図１４（ｆ）に示すように、トップブラシ１４とサイドブラシ１８により車両２の上面および両側面の洗浄を実行しながら前部本体１Ａは前進を開始する。さらに前部本体１Ａが、前進して設定離間距離Ｌ離れると（ステップ−２２）、後部本体１Ｂの走行駆動装置４７へ前進指令を出力する（ステップ−２３）。
【００８２】
これにより図１４（ｇ）に示すように、後部本体１Ｂの移動が開始される。
続いて、乾燥用ノズル３１，３２のブロワ装置３３へ送風指令を出力し（ステップ−２４）、乾燥用ノズル３１，３２へ駆動指令を出力する（ステップ−２５）。
【００８３】
これにより図１４（ｈ）、図１５（ｉ）に示すように、トップノズル３１は車両２の先端まで下降し、乾燥用ノズル３１，３２による車両２の上面と両側面の乾燥が開始される。このとき、ブラシ１３，１４，１８による車両２の洗浄が実行されており、ブラシ１３，１４，１８と乾燥用ノズル３１，３２との距離は設定離間距離（最大離間距離）Ｌとされている。
【００８４】
続いて、サイドブラシ１８が車両２の背面まで移動し、背面へ回って車両２の背面の洗浄が終了すると（ステップ−２６）、前部本体１Ａの走行駆動装置４５へ停止指令を出力し（ステップ−２７）、各ブラシ１３，１４，１８へ駆動停止指令を出力する（ステップ−２８）。
【００８５】
これにより図１５（ｊ）に示すように、サイドブラシ１８が車両２の背面に位置する状態で前部本体１Ａが停止し、各ブラシ１３，１４，１８の駆動が停止される。また図１５（ｌ）に示すように、乾燥用ノズル３１，３２による車両２の乾燥が実行されながら、後部本体１Ｂは前進を続ける。
【００８６】
続いて減速検出センサ３８の動作を確認すると（後部本体１Ｂが前部本体１Ａへ接近すると）（ステップ−２９）、前部本体１Ａの走行駆動装置４５へ前進指令を出力する（ステップ−３０）。
【００８７】
これにより、前部本体１Ａと後部本体１Ｂはともに前進を続ける。
そして、前部本体ＥＰ検出センサ２８の動作により前部本体１Ａが、エンドポジション（走行終了位置）に到達したことを確認すると（ステップ−３１）、前部本体１Ａの走行駆動装置４５への前進指令をオフとし、すなわち停止指令を出力し（ステップ−３２）、後部本体ＥＰ検出センサ３５の動作により後部本体１Ｂが、エンドポジション（走行終了位置）に到達したことを確認すると（ステップ−３３）、後部本体１Ｂの走行駆動装置４７への前進指令をオフとし、すなわち停止指令を出力し（ステップ−３４）、乾燥用ノズル３１，３２およびブロワ装置３３へ駆動停止指令を出力する（ステップ−３５）。
【００８８】
これにより図１５（ｍ）に示すように、前部本体１Ａと後部本体１Ｂがともにエンドポジションへ停止し、各乾燥用ノズル３１，３２およびブロワ装置３３の駆動が停止される。
【００８９】
続いて出口信号灯４３へ点灯指令を出力する（ステップ−３６）。
これにより出口信号灯４３が点灯し、図１５（ｎ）に示すように、車両２の運転者は車両２を退場させる。
【００９０】
続いて車両２の退出を確認すると（ステップ−３７）、出口信号灯４３へ消灯指令を出力し（ステップ−３８）、前部本体１Ａの走行駆動装置４５および後部本体１Ｂの走行駆動装置４７へ後進指令を出力し（ステップ−３９）、前部本体ＨＰ検出センサ２７の動作により前部本体１Ａが、ホームポジションに到達したことを確認すると（ステップ−４０）、前部本体１Ａの走行駆動装置４５への後進指令をオフとし、すなわち停止指令を出力し（ステップ−４１）、後部本体ＨＰ検出センサ３４の動作により後部本体１Ｂが、ホームポジションに到達したことを確認すると（ステップ−４２）、後部本体１Ｂの走行駆動装置４７への後進指令をオフとし、すなわち停止指令を出力する（ステップ−４３）。上記車両２の退出の確認は、たとえば車両２の車輪が移動したことを検出するセンサ等の動作により確認される。
【００９１】
これにより図１５（ｏ）に示すように、前部本体１Ａと後部本体１Ｂがともにホームポジションへ戻る。
続いて、進入センサ４２により遮断機４１の前に車両２が停止しており、その車高が洗車機本体１（前部本体１Ａ，後部本体１Ｂ）へ進入可能な許容高さ以下であることを確認し（ステップ−４４）、遮断機４１へ開指令を出力し（ステップ−４５）、進入表示灯２４を点灯し（ステップ−４６）、次の洗車に備える。
【００９２】
これにより図１５（ｐ）に示すように、遮断機４１が開かれ、次の車両２の進入が許可される。
またステップ−４４において車両２の車高が許容できない高さのとき、停止表示灯２５を点滅させて洗車できないことを報知する（ステップ−４７）。この報知は車両２が進入センサ４２により検出されている間続行される。
【００９３】
なお、異常、たとえばトップブラシ１４に発生すると、また挟まれ検出センサ４０により物または人が検出されるとき、前部本体１Ａと後部本体１Ｂの走行は停止され、各ブラシ１３，１４，１８の駆動が停止され、各乾燥用ノズル３１，３２およびブロワ装置３３が停止され、洗車機全ての動作が停止される。
【００９４】
このように、前部本体１Ａと後部本体１Ｂがそれぞれ別個に走行駆動され、図１４（ｈ）、図１５（ｉ）、図１５（ｊ）に示すように、洗浄中の洗浄手段と乾燥中の乾燥手段との距離を最大距離（設定離間距離）に離間することができ、よって洗浄中の水しぶきにより、乾燥が阻害されることを防止でき、乾燥の仕上がりを常に良好とすることができる。
【００９５】
次に上記制御装置７１の洗車シーケンス制御部８１による異常発見時の異常画面の表示を図１６のフローチャートにしたがって説明する。
洗車機本体１に異常、たとえばトップブラシ１４の駆動装置（モータ等）に異常が発生したことを検出すると（ステップ−１）、ブザー６７を鳴動させ（ステップ−２）、画像表示制御部８３へ図８（ａ）に示す異常通報画面の表示指令を出力し（ステップ−３）、続いて画像表示制御部８３へ異常内容と、実行している洗車コースのデータを出力する（ステップ−４）。これにより、画像表示制御部８３により異常通報画面が表示される。なお、この異常通報画面が表示されている状態で、運転者またサービスステーションの作業員によりタッチパネル６０が操作され、操作確認部８２より入力したタッチパネル６０のタッチ信号によりブザー停止操作ボタンの画像のタッチ信号を確認すると、ブザー６７の鳴動を停止させる。
【００９６】
そして、運転者またサービスステーションの作業員によりタッチパネル６０が操作され、操作確認部８２より入力したタッチパネル６０のタッチ信号により「詳細」操作ボタンの画像のタッチ信号を確認すると（ステップ−５）、画像表示制御部８３へ図８（ｂ）に示す異常詳細画面の表示信号を出力し（ステップ−６）、続いて画像表示制御部８３へ異常内容、洗車コースに加えて、どの位置での異常か、実行していた洗車動作のデータ（どのステップか）、前部本体１Ａと後部本体１Ｂの走行位置（ホームホジションからの走行距離ＨＡ，ＨＢに相当するパルス数）のデータを出力する（ステップ−７）。これにより画像表示制御部８３により異常詳細画面が表示される。この異常詳細画面が表示されている状態で、運転者またサービスステーションの作業員によりタッチパネル６０が操作され、操作確認部８２より入力したタッチパネル６０のタッチ信号により「元の異常通報画面に戻る操作ボタン」のタッチ信号を確認すると（ステップ−８）、ステップ−３へ戻り、元の異常通報画面を表示させる。
【００９７】
また上記ステップ−４に続いて、運転者またサービスステーションの作業員によりタッチパネル６０が操作され、操作確認部８２より入力したタッチパネル６０のタッチ信号により発生した「原因」操作ボタンの画像のタッチ信号を確認すると（ステップ−９）、画像表示制御部８３へ図８（ｃ）に示す異常原因画面の表示指令を出力し（ステップ−１０）、続いてメンテナンスデータ記憶部８７を検索して画像表示制御部８３へ具体的な異常内容とこの異常内容に対処するチェック項目のデータを出力する（ステップ−１１）。これにより画像表示制御部８３により異常原因画面が表示される。この異常原因画面が表示されている状態で、運転者またサービスステーションの作業員によりタッチパネル６０が操作され、操作確認部８２より入力したタッチパネル６０のタッチ信号により「元の異常通報画面に戻る操作ボタン」のタッチ信号を確認すると（ステップ−１２）、ステップ−３へ戻り、元の異常通報画面を表示させる。
【００９８】
また異常原因画面が表示されている状態で、運転者またサービスステーションの作業員によりタッチパネル６０が操作され、操作確認部８２より入力したタッチパネル６０のタッチ信号により「確認場所表示」操作ボタンの画像のタッチ信号を確認すると（ステップ−１３）、あるいは上記ステップ−４に続いて、運転者またサービスステーションの作業員によりタッチパネル６０が操作され、操作確認部８２より入力したタッチパネル６０のタッチ信号により「確認場所表示」操作ボタンの画像のタッチ信号を確認すると（ステップ−１４）、画像表示制御部８３へ図８（ｄ）に示す確認場所表示画面の表示指令を出力し（ステップ−１５）、続いてメンテナンスデータ記憶部８７を検索して画像表示制御部８３へ確認位置の図面のデータを出力する（ステップ−１６）。これにより画像表示制御部８３により確認場所表示画面が表示される。この確認場所表示画面が表示されている状態で、運転者またサービスステーションの作業員によりタッチパネル６０が操作され、操作確認部８２より入力したタッチパネル６０のタッチ信号により「元の異常通報画面に戻る操作ボタン」のタッチ信号を確認すると（ステップ−１７）、ステップ−３へ戻り、元の異常通報画面を表示させる。
【００９９】
上記ステップ−４に続いて（異常通報画面が表示されている状態で）、運転者またサービスステーションの作業員によりタッチパネル６０が操作され、操作確認部８２より入力したタッチパネル６０のタッチ信号により異常解除ボタンの画像のタッチ信号を確認すると（ステップ−１８）、異常が回復されているかを確認し（ステップ−１９）、確認すると画像表示制御部８３へ図６（ａ）に示す待受画面の表示指令を出力し、待受画面を表示させ（ステップ−２０）、終了する。画像表示制御部８３により元の待受画面が表示される。異常が回復されていない場合、異常通報画面が表示されている状態が維持される。
【０１００】
このように、異常が発生すると、異常通報画面が表示され、続いて選択により、異常詳細画面または異常原因画面または確認場所表示画面が表示される。
また制御装置７１は、上記構成による機能に加えて、次の機能を有している。
「洗車を実行した車両２の台数の表示」
洗車を実行する毎に、車両２の台数に１を加算するとともに、洗車日時を記憶し、所定の時刻毎に台数の統計をとり、表やグラフで液晶表示パネル５９に表示する機能。
「異常履歴の表示」
発生した異常の履歴を上記洗車シーケンス制御部８１において記憶し、液晶表示パネル５９に異常の履歴を一括、表またはグラフで表示する機能。これにより、どの異常が多く発生しているかを確認できる。
「点検操作の表示」
点検操作の項目とその内容を予め記憶し、点検操作の項目の一覧を液晶表示パネル５９に表示し、タッチパネル６０のタッチ信号により選択された点検操作の項目の内容を液晶表示パネル５９に表示する機能。これにより、点検操作をマニュアルを見ながら行う必要がなくなり、作業効率が改善される。
「状態確認機能の表示」
制御装置７１からの出力の状態、操作ボックス２３からの出力の状態、制御装置７１に設定されているデータを液晶表示パネル５９に表示する機能。これにより、制御装置７１を構成する基板のＬＥＤ（発光ダイオード）や設定用ディップスイッチの設定状態を確認する必要がなくなり、作業効率が改善される。
【０１０１】
以上の本実施の形態によれば、車両２と洗車機本体１は相対移動しながら、前部本体１Ａに設けた洗浄手段による車両２の洗浄と、後部本体１Ｂに設けた乾燥手段による車両２の乾燥が、離れて実行されることにより、洗浄の際に発生する水しぶきにより乾燥の仕上がりが悪くなることを防止できる。
【０１０２】
また本実施の形態によれば、液晶表示パネル５９に複数の洗車コース（洗車処理）の中から一つの洗車コースを選択可能な画面が少なくとも表示され、この液晶表示パネル５９に表示された画面に基づいてタッチパネル６０が操作されることにより、洗車処理の情報を含む自動洗車に必要な情報を、画面にしたがって入力でき、よって洗車機の操作性を改善でき、誰でも使いやすい洗車機を提供することができる。
【０１０３】
また本実施の形態によれば、図６に示すように、液晶表示パネル５９の各操作画面にはそのときの操作に必要な操作ボタン（押釦）の画像が表示されることにより、操作がわかりやすくなり、誰でも操作で迷うことがなくなることから操作性を改善することができる。また条件によって操作ボタンが必要ない場合、画面にこのような必要でない操作ボタンの画像を表示しないようにすることができる。
【０１０４】
また本実施の形態によれば、図６に示すように、操作ボタン（押釦）位置の操作により操作ボタンのランプが点灯するように色が変化することにより、すなわち押釦の画像全体あるいは一部の色が変化して操作が表現されることにより、操作ボタン（押釦）の操作が受け付けられたことを確認できる。
【０１０５】
また本実施の形態によれば、操作画面として順に表示される洗車コース選択画面（洗車処理の選択画面）、被洗浄車両に装備されている装備品を入力する装備品選択画面、洗車開始を入力する確認画面（スタート操作画面）にしたがって操作することにより、必要な自動洗車のデータが入力され、洗車をスタートすることができ、よって誰でも簡単に洗車機の操作を行うことができる。
【０１０６】
また本実施の形態によれば、各センサの入力状態が表示されることにより、制御装置７１を構成する入力基板のＬＥＤ（発光ダイオード）をマニュアルでその位置を確認しながら見る手間をかけることなく、センサにより検出されている洗車機の状態を確認でき、またセンサの設置位置が表示されることにより、センサがどこに設置されているかをマニュアルを見ることなく確認でき、作業効率を改善することができる。また各センサの入力状態とセンサの設置位置がともに表示されることにより、洗車機の状態・状況を容易に迅速に把握することができる。
【０１０７】
また本実施の形態によれば、洗車機本体１に異常が発生したとき、この異常の状態、原因、対処方法、確認位置が表示されることにより、異常が発生しても異常の詳細な状況がわかりやすく表示され、マニュアルを見ることなく、異常の復旧に迅速に対処することができる。
【０１０８】
また本実施の形態によれば、洗車動作が開始されるとタイマーに設定された一定時間後に、スライドカバー６２は動作されて操作パネル５８の表面が覆われることにより、洗車動作により発生する水しぶきにより操作パネル５８が濡れて異常が発生することを防止できる。
【０１０９】
また本実施の形態によれば、車両前進検出センサ６６および前部本体車両検出センサ２６による車両２の検出に基づいて、すなわち操作ボックス２３近傍に被洗浄車両２が検出されると、スライドカバー６２が外れて操作パネル５８の表面が開放されることにより、自動洗車に必要なデータの入力を可能にすることができる。また上記２つのセンサ６６，２６がともに車両２を検出していることを条件としてスライドカバー６２を開放していることにより、いわゆる「いたずら」によりスライドカバー６２が開放されてしまうことを回避することができる。
【０１１０】
また本実施の形態によれば、操作ボックス２３を洗車機本体１（前部本体１Ａ）に取り付けていることにより、遮断器４１の外方に操作パネルを配置した場合と比較して洗車機全体の設置スペースを削減することができ、スペースを効率的に使用することができる。
【０１１１】
また本実施の形態によれば、図６に示す操作画面に、操作段階の画面ａが表示されることにより、操作手順をわかりやすくすることができ、また現在どのような操作を行っているかを運転者に報知することができる。
【０１１２】
また本実施の形態によれば、図６（ｂ）の洗車コース選択画面において、洗車コースの画像に金額（洗車料金）を表示させることにより、洗車コースの洗車料金を改定するとき、シールなどで表示料金を変更する必要がなくなり、洗車コース選択画面における洗車料金の設定の変更のみで自動的に洗車料金を切り換えることができる。
【０１１３】
なお、本実施の形態では、操作ボタン（押釦）位置の操作により押釦の画像全体あるいは一部の色が変化することの一例として、操作ボタンのランプが点灯するように色を変化させているが、操作ボタン（押釦）の画像全体を変化させてもよい。
【０１１４】
また本実施の形態では、液晶表示パネル５９に、洗車機本体１に設置されたセンサの入力状態とセンサの設置位置をともに表示できるようにしているが、洗車機本体１に設置されたセンサの入力状態またはセンサの設置位置の一方を表示するようにすることもできる。
【０１１５】
また本実施の形態では、液晶表示パネル５９に、洗車機本体１に異常が発生したとき、この異常の状態、原因、対処方法、確認位置を表示できるようにしているが、洗車機本体１に異常が発生したとき、この異常の状態、原因、確認位置の少なくとも一つを表示するようにすることもできる。
【０１１６】
また本実施の形態では、洗車機本体１（前部本体１Ａと後部本体１Ｂ）のみを移動させ、洗車機本体１と車両２を相対移動させて車両２の洗車を行っているが、前部本体１Ａと後部本体１Ｂを接近・離間させながら移動させるとともに、ローラコンベヤ（車両移動手段）を用いて車両２を前後に移動させ、相対移動するようにすることもできる。また洗車機は、洗車機本体１を前部本体１Ａと後部本体１Ｂに分離して独立して走行可能なタイプとしているが、洗車機は、分離していない公知の一体型のタイプであってもよく、また洗車機本体１を固定し、車両２をローラコンベヤなどの移動手段で移動させながら洗車を行う連続洗車機のタイプであってもよい。
【０１１７】
また本実施の形態では、操作ボックス２３を洗車機本体１（前部本体１Ａ）に取り付けているが、遮断機４１の手前であってその前に停止した車両２から運転者が操作可能な位置に配置してもよい。また洗車機が連続洗車機のタイプのとき、操作ボックス２３を、洗車機本体１に取り付けずに、ローラコンベヤなどの移動手段上に停止した車両２から運転者が操作可能な位置に配置してもよい。
【０１１８】
また本実施の形態では、一定走行（距離）である設定離間距離Ｌを最大離間距離としているが、最大離間距離に限ることはなく、前部本体１Ａと後部本体１Ｂを接続するワイヤ６の長さの範囲で設定することができる。
【０１１９】
また本実施の形態では、前部本体１Ａと後部本体１Ｂを接近・離間自在に接続する索体としてワイヤ６を使用しているが、ワイヤに限ることなく、チェーンなど他の索体を使用してもよい。
【０１２０】
また本実施の形態では、上記減速検出センサ３８と接近検出センサ３９にリミットスイッチを使用して構成しているが、接近検出手段を超音波センサや近接センサや光電センサなどにより構成することもできる。
【０１２１】
【発明の効果】
以上のように本発明によれば、洗車処理の情報を含む自動洗車に必要な情報を、画面にしたがって入力でき、よって洗車機の操作性を改善でき、誰でも使いやすい洗車機を提供することができる。
【図面の簡単な説明】
【図１】本発明の実施の形態における洗車機の概略側面図である。
【図２】同洗車機の正面図である。
【図３】同洗車機の本体の機器配置図である。
【図４】同洗車機の本体の機器配置図である。
【図５】同洗車機の操作ボックスの正面図である。
【図６】同洗車機の操作ボックスの操作パネルに表示される画面図である。
【図７】同洗車機の操作ボックスの操作パネルに表示される画面図である。
【図８】同洗車機の操作ボックスの操作パネルに表示される画面図である。
【図９】同洗車機の制御構成図である。
【図１０】同洗車機の制御装置の洗車前制御部の動作を示すフローチャートである。
【図１１】同洗車機の制御装置の洗車前制御部の動作を示すフローチャートである。
【図１２】同洗車機の制御装置の洗車シーケンス制御部の動作手順を順に示すフローチャートである。
【図１３】同洗車機の制御装置の洗車シーケンス制御部の動作手順を順に示すフローチャートである。
【図１４】同洗車機の制御方法の手順を順に示す説明図である。
【図１５】同洗車機の制御方法の手順を順に示す説明図である。
【図１６】同洗車機の制御装置の洗車シーケンス制御部の異常検出時の動作手順を順に示すフローチャートである。
【符号の説明】
１    洗車機本体
１Ａ  前部本体
１Ｂ  後部本体
２    被洗浄車両
５    走行レール
１０  車高・車両検出センサ
１３  ロッカーブラシ
１４  トップブラシ
１８  サイドブラシ
２３  操作ボックス
２６  前部本体車両検出センサ
３１  トップノズル
３２  サイドノズル
４５  前部本体走行駆動装置
４６  前部本体エンコーダ
４７  後部本体走行駆動装置
４８  後部本体エンコーダ
５８  操作パネル
５９  液晶表示パネル
６０  タッチパネル
６２  スライドカバー
６６  車両前進検出センサ
７１  制御装置
【図１】
2004148882.tif 000003
【図２】
2004148882.tif 000004
【図３】
2004148882.tif 000005
【図４】
2004148882.tif 000006
【図５】
2004148882.tif 000007
【図６】
2004148882.tif 000008
【図７】
2004148882.tif 000009
【図８】
2004148882.tif 000010
【図９】
2004148882.tif 000011
【図１０】
2004148882.tif 000012
【図１１】
2004148882.tif 000013
【図１２】
2004148882.tif 000014
【図１３】
2004148882.tif 000015
【図１４】
2004148882.tif 000016
【図１５】
2004148882.tif 000017
【図１６】
2004148882.tif 000018